(57)【要約】【課題】簡単な構成で、且つ、設備コストが高くなく、繰り返し回動しても適当な回転負荷を維持して、表示部を左右に所定角度回動可能な表示部手動回動装置を提供する。【解決手段】固定部となるスタンド２と、該スタンドに回動自在に支持され表示部と共に回動するピボットベース３と、該ピボットベースを前記スタンドに対して回動自在に保持する回動支持部材４とを備え、さらに、回動するピボットベースとスタンドとの当接部に設ける摩擦力維持部材７と、ピボットベースを摩擦力維持部材側に向けて押圧する弾性力付与部材５を備えた構成の表示部手動回動装置１とした。【選択図】図１
2010226268.tif 000002
【特許請求の範囲】
【請求項１】
固定部となるスタンドと、該スタンドに回動自在に支持され表示部と共に回動するピボットベースと、該ピボットベースを前記スタンドに対して回動自在に保持する回動支持部材と、を備え、
さらに、回動する前記ピボットベースと前記スタンドとの当接部に設ける摩擦力維持部材と、前記ピボットベースを前記摩擦力維持部材側に向けて押圧する弾性力付与部材を備えたことを特徴とする表示部手動回動装置。
【請求項２】
前記スタンドが、基台部と中央筒部とを備え、
前記ピボットベースが、前記基台部の上面に当接する平面状の両側裾部と、前記中央筒部を跨ぐ断面凸の字状の屈曲本体部を備えた板金製とされ、
前記回動支持部材が、前記屈曲本体部の天板部に固着する取付部と、前記中央筒部を貫通する本体軸部とを備え、該本体軸部の上下二箇所をそれぞれブッシュを介して前記中央筒部に回転自在に装着し、
前記弾性力付与部材を前記本体軸部に装着して、前記両側裾部を前記基台部に押し付ける方向に付勢する構成としたことを特徴とする請求項１に記載の表示部手動回動装置。
【請求項３】
前記摩擦力維持部材が、耐摩耗性を有する摺動プレートであり、前記スタンドの基台部上面に前記摺動プレートを収容して所定の高さで突出する凹部を設けたことを特徴とする請求項２に記載の表示部手動回動装置。
【請求項４】
前記弾性力付与部材をバネ性を有する棒材とし、この棒材の中央部を前記本体軸部に係合すると共に、前記棒材の両端部を支持して所定寸法撓ませる端部支持部を、前記基台部の下面の、前記当接部に対応した位置に設けたことを特徴とする請求項２または３に記載の表示部手動回動装置。
【請求項５】
前記回動支持部材を板金製とし、前記取付部を、板金の先端部を左右に分割して、一方の端部を直角に折り曲げさらにＵターン形状に折り返して、このＵターン形状部を前記ピボットベースの天板部に設ける取付孔に装着し、他方の端部を前記一方の端部とは逆方向に直角に折り曲げさらにＵターン形状に折り返して、このＵターン形状部を前記ピボットベースの天板部に設ける取付孔に装着すると共に、前記本体軸部に前記弾性力付与部材を貫通させる挿通孔を設け、該貫通孔に前記弾性力付与部材の中央部を支持する中央部支持部を設けたことを特徴とする請求項２から４のいずれかに記載の表示部手動回動装置。
【請求項６】
前記屈曲本体部の両側部に表示部取付部を設けたことを特徴とする請求項２から５のいずれかに記載の表示部手動回動装置。
【請求項７】
前記屈曲本体部の両側部にチルト調整部材を設け、該チルト調製部材に表示部取付部を設けたことを特徴とする請求項２から５のいずれかに記載の表示部手動回動装置。
【請求項８】
前記ピボットベースが所定角度回動したときに、板金製の前記回動支持部材が当接する停止部材を前記中央筒部内に設けて、前記ピボットベースの回動角度を規定することを特徴とする請求項２から７のいずれかに記載の表示部手動回動装置。
【請求項９】
前記ピボットベースが所定角度回動したときに、前記ピボットベースの両側裾部の外周部に設ける爪部が当接する停止ピン部材を前記基台部に設けて、前記ピボットベースの回動角度を規定することを特徴とする請求項２から７のいずれかに記載の表示部手動回動装置。
【請求項１０】
前記中央筒部に装着する上下二箇所のブッシュの上ブッシュに、前記中央筒部の上面に当接する鍔部を設けると共に、前記中央筒部の上面に段を形成し、前記鍔部を前記段に嵌まり込んで所定角度回動可能となる扇状とし、この扇状の鍔部が前記段に係合して前記ピボットベースの回動角度を規定することを特徴とする請求項２から７のいずれかに記載の表示部手動回動装置。
【発明の詳細な説明】
【技術分野】
【０００１】
本発明は、ＴＶやパソコン用モニタなどの表示部を左右に回動する表示部手動回動装置に関する。
【背景技術】
【０００２】
従来、ＴＶやパソコン用モニタなどの表示部は、ユーザーの所望の位置に表示画面を向けるように、ユーザーから見て左右方向に回動可能な構成とされているものがある。また、表示部の垂直方向の傾きを変更可能とし上下にチルト可能にされているものもある。
【０００３】
表示部を回動する際には、適当な力で回動し、その回動位置を維持しておくことが好ましいので、スタンド部材を上下２部材から構成し、これらの上下２部材を湾曲面を介して接合すると共に、下部材に突起回転地域を設け、上部材に回転停止突起を設けて、予め規定された回転地域内を回転移動するよう構成されたモニタースタンドが既に提案されている（例えば、特許文献１参照）。
【０００４】
また、電動モータを備えて、表示部を自動回動させることも行われており、小径ギアを多段に重ね合わせてユニット化された駆動部を用いて表示部を左右に回動する電動スイーベル装置が既に提案されている（例えば、特許文献２参照）。
【先行技術文献】
【特許文献】
【０００５】
【特許文献１】特開平８−９２９６号公報
【特許文献２】特開２００８−１１１４９７号公報
【発明の概要】
【発明が解決しようとする課題】
【０００６】
ＴＶやパソコン用モニタなどの表示部は、水平左右方向に回動自在としてユーザーの所望の位置に変位可能であることが好ましい。また、この回動操作を行うために、電動モータを備える駆動装置を用いることは、利便性はよいが設備コストが高くなり、装置も複雑となるので、好ましくない。
【０００７】
そのために、より簡単な構成で、且つ、適当な回転負荷で、表示部を手動で回動可能な構成とすることが好ましい。また、回転負荷は、表示部の回動を繰り返し行った後でも、常に安定した回転負荷であることが好ましく、上下の２部材が繰り返し回動する際に磨耗して、その回転負荷（摩擦力）が変動することは好ましくない。
【０００８】
さらに、回動させる装置を構成する部材は、製造コストが高くならず、信頼できる部材であることが好ましい。また、表示部のサイズが大きくなっても、摺動面が磨耗せず、重量増大の負荷に耐えうる構成であることが好ましい。
【０００９】
本発明は、上記問題点に鑑み、簡単な構成で、且つ、設備コストが高くなく、繰り返し回動しても適当な回転負荷を維持して、表示部を左右に所定角度回動可能な表示部手動回動装置を提供することを目的とする。
【課題を解決するための手段】
【００１０】
上記目的を達成するために本発明は、固定部となるスタンドと、該スタンドに回動自在に支持され表示部と共に回動するピボットベースと、該ピボットベースを前記スタンドに対して回動自在に保持する回動支持部材とを備え、さらに、回動する前記ピボットベースと前記スタンドとの当接部に設ける摩擦力維持部材と、前記ピボットベースを前記摩擦力維持部材側に向けて押圧する弾性力付与部材を備えた表示部手動回動装置としたことを特徴としている。
【００１１】
この構成によると、固定部となるスタンドと回動部となるピボットベースとの間に摩擦力維持部材を設け、この摩擦力維持部材に向けてピボットベースを押圧する構成としたので、スタンドとピボットベース間の摩擦力を所定の大きさに維持することができ、手動で回動する際に、回転負荷を適当な大きさに維持することができる。そのために、繰り返し回動しても適当な回転負荷を維持して、表示部を左右に所定角度回動可能な表示部手動回動装置を得ることができる。
【００１２】
また本発明は、上記構成の表示部手動回動装置において、前記スタンドが、基台部と中央筒部とを備え、前記ピボットベースが、前記基台部の上面に当接する平面状の両側裾部と、前記中央筒部を跨ぐ断面凸の字状の屈曲本体部を備えた板金製とされ、前記回動支持部材が、前記屈曲本体部の天板部に固着する取付部と、前記中央筒部を貫通する本体軸部とを備え、該本体軸部の上下二箇所をそれぞれブッシュを介して前記中央筒部に回転自在に装着し、前記弾性力付与部材を前記本体軸部に装着して、前記両側裾部を前記基台部に押し付ける方向に付勢する構成としたことを特徴としている。この構成によると、表示部と共に回動するピボットベースを板金製としたので、部品コストが安価となり、この安価なピボットベースを回動自在に支持する回動装置の設備コストも安価となる。また、ピボットベースの両側裾部が平面状の当接部となって所定大きさの摩擦力が生じるので、所定の腕長さ部分に所定の摩擦力が掛かって、この摩擦力のモーメントとして発揮される回転負荷を安定させることができる。そのために、繰り返し回動しても適当な回転負荷を維持して、表示部を左右に所定角度回動可能な表示部手動回動装置を得ることができる。
【００１３】
また本発明は、上記構成の表示部手動回動装置において、前記摩擦力維持部材が、耐摩耗性を有する摺動プレートであり、前記スタンドの基台部上面に前記摺動プレートを収容して所定の高さで突出する凹部を設けたことを特徴としている。この構成によると、ピボットベースの底面が耐摩耗性を有する摺動プレートに当接して回動するので、所定の安定した摩擦力を発揮して、所定大きさの回転負荷を維持することができる。
【００１４】
また本発明は、上記構成の表示部手動回動装置において、前記弾性力付与部材をバネ性を有する棒材とし、この棒材の中央部を前記本体軸部に係合すると共に、前記棒材の両端部を支持して所定寸法撓ませる端部支持部を、前記基台部の下面の、前記当接部に対応した位置に設けたことを特徴としている。この構成によると、バネ性を有する棒材を所定寸法撓ませて所定の付勢力を得ることができ、当接部に対応した下面を押圧することで、当接部の上に負荷される下向きの表示部の重量と、下に負荷される上向きの押圧力とが同じ部位となって、基台部に掛かる負荷が圧縮力のみとなり、曲げ力や引っ張り力が負荷されない構成となる。そのために、スタンドが樹脂製であっても、クリープ変形や破損が生じない。
【００１５】
また本発明は、上記構成の表示部手動回動装置において、前記回動支持部材を板金製とし、前記取付部を、板金の先端部を左右に分割して、一方の端部を直角に折り曲げさらにＵターン形状に折り返して、このＵターン形状部を前記ピボットベースの天板部に設ける取付孔に装着し、他方の端部を前記一方の端部とは逆方向に直角に折り曲げさらにＵターン形状に折り返して、このＵターン形状部を前記ピボットベースの天板部に設ける取付孔に装着すると共に、前記本体軸部に前記弾性力付与部材を貫通させる挿通孔を設け、該貫通孔に前記弾性力付与部材の中央部を支持する中央部支持部を設けたことを特徴としている。この構成によると、回動支持部材を板金製としたので、部品コストが安価となり、取付部の形成や挿通孔を形成する板金加工も容易であるので製造コストも安価となる。また、板金の先端部を両側に開いたＵターン形状部にピボットベースを装着するので、折り曲げた平面部で荷重を受けることができ、板金製であっても、大きな荷重負荷が可能となる。
【００１６】
また本発明は、上記構成の表示部手動回動装置において、前記屈曲本体部の両側部に表示部取付部を設けたことを特徴としている。この構成によると、幅方向の二箇所で表示部を支持するので、サイズの大きな表示部であっても安定して保持し、左右に回動自在となる。
【００１７】
また本発明は、上記構成の表示部手動回動装置において、前記屈曲本体部の両側部にチルト調整部材を設け、該チルト調製部材に表示部取付部を設けたことを特徴としている。この構成によると、幅方向の二箇所で表示部を支持して上下にチルトし、左右に回動するので、サイズの大きな表示部であっても安定して保持し、上下にチルト自在、また、左右に回動自在となる。
【００１８】
また本発明は、上記構成の表示部手動回動装置において、前記ピボットベースが所定角度回動したときに、板金製の前記回動支持部材が当接する停止部材を前記中央筒部内に設けて、前記ピボットベースの回動角度を規定することを特徴としている。この構成によると、中央筒部内に設ける停止部材に回動支持部材を当接して回動範囲を規制するので、停止部材を板金製の回動支持部材が当接する平面ストッパ形状として、確実に停止することができる。また、停止部材を中央筒部内に設けるので、装備品が露出せず、すっきりとした外観の表示部手動回動装置となる。
【００１９】
また本発明は、上記構成の表示部手動回動装置において、前記ピボットベースが所定角度回動したときに、前記ピボットベースの両側裾部の外周部に設ける爪部が当接する停止ピン部材を前記基台部に設けて、前記ピボットベースの回動角度を規定することを特徴としている。この構成によると、ピボットベースの両側裾部の外周部に設ける爪部が基台部の停止ピン部材に当接して回動が停止されるので、半径が大きな部位にストッパを設ける構成となって、大きな制動力を発揮することができ、確実に停止可能な表示部手動回動装置となる。
【００２０】
また本発明は、上記構成の表示部手動回動装置において、前記中央筒部に装着する上下二箇所のブッシュの上ブッシュに、前記中央筒部の上面に当接する鍔部を設けると共に、前記中央筒部の上面に段を形成し、前記鍔部を前記段に嵌まり込んで所定角度回動可能となる扇状とし、この扇状の鍔部が前記段に係合して前記ピボットベースの回動角度を規定することを特徴としている。この構成によると、中央筒部の上面と上ブッシュの鍔部で停止部材を構成するので、装備品がピボットベースの外部に露出せず、すっきりとした外観の表示部手動回動装置となる。
【発明の効果】
【００２１】
本発明によれば、固定部となるスタンドと、該スタンドに回動自在に支持され表示部と共に回動するピボットベースと、該ピボットベースを前記スタンドに対して回動自在に保持する回動支持部材とを備え、さらに、ピボットベースが回動する際にスタンドと当接する当接部に設ける摩擦力維持部材と、ピボットベースを摩擦力維持部材側に向けて押圧する弾性力付与部材を備えた構成としたので、スタンドとピボットベース間の摩擦力を所定の高さに維持することができ、繰り返し回動しても適当な回転負荷を維持して、表示部を左右に所定角度回動可能な表示部手動回動装置を得ることができる。
【図面の簡単な説明】
【００２２】
【図１】本発明に係る表示部手動回動装置の一例を示す概略外観図である。
【図２】本発明に係る表示部手動回動装置の構成を示す断面図である。
【図３】本発明に係る表示部手動回動装置の要部拡大図であって、（ａ）に停止部材の第一実施形態を示し、（ｂ）に第二実施形態を示し、（ｃ）に第三実施形態を示す。
【図４】チルト調製部材を備える表示部手動回動装置の一例を示す概略外観図である。
【図５】本発明に係る表示部手動回動装置を装着したＴＶの一例を示す概略外観図である。
【発明を実施するための形態】
【００２３】
以下に本発明の実施形態を図面を参照して説明する。また、同一構成部材については同一の符号を用い、詳細な説明は適宜省略する。
【００２４】
本実施形態の表示部手動回動装置は、ＴＶやパソコン用モニタなどの表示部を左右に回動する表示部手動回動装置１であって、図１および図２に示すように、固定部となるスタンド２と、該スタンド２に回動自在に支持され表示部と共に回動するピボットベース３と、該ピボットベース３を前記スタンド２に対して回動自在に保持する回動支持部材４とを備えている。
【００２５】
また、前記ピボットベース３が回動する際に前記スタンド２と当接する当接部に設ける摩擦力維持部材７と、前記ピボットベース３を前記摩擦力維持部材７側に向けて押圧する弾性力付与部材５を備えた構成とされている。
【００２６】
スタンド２は、平坦な上面２１ａを備える基台部２１と中央筒部２２とを備えた樹脂成形品であり、ピボットベース３は、前記基台部２１の上面２１ａに当接する平面状の両側裾部３１と、前記中央筒部２２を跨ぐ断面凸の字状の屈曲本体部３２を備えた板金製とされている。
【００２７】
回動支持部材４は、前記屈曲本体部３２の天板部３３に固着する取付部４１と、前記中央筒部２２を貫通する本体軸部４２とを備え、該本体軸部４２の上下二箇所をそれぞれブッシュ６（６Ａ、６Ｂ）を介して前記中央筒部２２に回転自在に装着し、弾性力付与部材５を前記本体軸部４２に装着して、前記両側裾部３１を前記基台部２１の上面２１ａに押し付ける方向に付勢する構成としている。
【００２８】
弾性力付与部材５はバネ性を有する素材から形成することができる。本実施形態ではバネ性を有する棒材（例えば、ピアノ線やばね鋼からなる棒材）を用いて、この棒材の中央部を本体軸部４２に係合すると共に、前記棒材の両端部を支持して所定寸法撓ませる端部支持部２４、２４を、前記基台部２１の下面の前記当接部に対応した位置に設けている。
【００２９】
バネ性を有する棒材から構成される弾性力付与部材５の中央部を本体軸部４２に係合する構成としては、例えば、本体軸部４２に弾性力付与部材５を貫通させる挿通孔４４を設け、該貫通孔４４に前記弾性力付与部材５の中央部を支持する中央部支持部４４ａを設けることができる。
【００３０】
挿通孔４４は例えば、棒材からなる弾性力付与部材５の径よりも大きな矩形の孔を用いることができ、孔の底面部に弾性力付与部材５を支持する中央部支持部４４ａを形成することができる。
【００３１】
棒材の両端部を支持して所定寸法撓ませる端部支持部２４、２４は、図２に示すように、摩擦力維持部材７が設けられる基台部２１の下面側に突出して一体成形されている。また、この端部支持部２４、２４は棒材を支持可能な溝部を備える形状であればよく、特にその形状は限定されない。
【００３２】
バネ性を有する棒材が中央部支持部４４ａと端部支持部２４、２４とで、所定寸法撓ませられていれば、撓みを解除する方向にバネ力を発揮する。そのために、図示するように、棒材の両端を中央部より下側に撓ませた場合には、中央部支持部４４ａ部を押下する付勢力が発生して、回動支持部材４を下向きに付勢して、両側裾部３１を前記基台部２１の上面２１ａに押し付けるように付勢することができる。
【００３３】
上記のような構成としているので、当接部の下側に設けられる端部支持部２４、２４には上向きの力が付加され、当接部の上に負荷される下向きの力とで、この部分を圧縮する構成となる。また、当接部の略同じ部位の上下を圧縮するので、基台部２１に掛かる負荷が圧縮力のみとなり、曲げ力や引っ張り力が負荷されない構成となる。そのために、スタンド２が樹脂製であっても、クリープ変形や破損が生じない。
【００３４】
上記したように、ピボットベース３を基台部２１に押し付けた状態で回動するので所定の回動負荷が発生する。また、当接部に摩擦力維持部材７を介装すると、繰り返し回動操作しても摩擦力が変動しないのでさらに好ましい。この摩擦力維持部材７としては、所定の摩擦抵抗を発揮すると共に耐摩耗性を有する摺動プレートが好ましい。また、スタンド２の基台部上面２１ａに前記摺動プレートを収容して所定の高さで突出する凹部２１ｂを設けている。この構成であれば、ピボットベース３の底面（両側裾部３１）が耐摩耗性を有する摺動プレートに当接して回動するので、所定の安定した摩擦抵抗を発揮して、所定大きさの回動負荷を維持することができる。また、耐摩耗性を有する摺動プレートであれば、繰り返し回動操作しても磨耗しないので、摩擦抵抗が変動せずに適当な回転負荷を維持することができ、表示部を常時同じ力で安定して左右に回動可能となる。
【００３５】
上記したように、摩擦力維持部材７は、耐摩耗性を有し所定の摩擦抵抗を発揮する摺動プレートであればよいので、例えば摺動材料として好適な自己潤滑性を有する樹脂成形品や所定の摺動性を発揮するラッピングプレート等を用いることができる。
【００３６】
また、摩擦力維持部材７が所定の回動負荷を発揮するためには、所定の面積が必要であるので、本実施形態では図示するように、所定幅を有する湾曲した三日月状プレートとしている。この湾曲度合いは、回動する両側裾部３１に対して同心円となる円弧状に湾曲させることが好ましい。この構成であれば、ピボットベース３を回動したときに、回動負荷を発生させる当接部が常に同じ半径部分で当接するので、当接部に生じる摩擦力のモーメントが安定して回動負荷を安定させることができる。
【００３７】
上下二個のブッシュ６（６Ａ、６Ｂ）を介してスタンド２に回動自在に支持される回転支持部材４は板金製とすることができる。例えば、板金の先端部を左右に分割して、一方の端部を直角に折り曲げさらにＵターン形状に折り返して、このＵターン形状部を前記ピボットベース３の天板部３３に設ける取付孔に装着する取付部４１Ａを形成し、他方の端部を前記一方の端部とは逆方向に直角に折り曲げさらにＵターン形状に折り返して、このＵターン形状部を前記ピボットベース３の天板部３３に設ける取付孔に装着する取付部４１Ｂを形成することができる。また、板金製の本体軸部４２に弾性力付与部材５を貫通させる挿通孔４４を設けることができる。
【００３８】
上記したように、回動支持部材４を板金製とすると、部品コストが安価となり、取付部４１（４１Ａ、４１Ｂ）の形成や挿通孔４４を形成する板金加工も容易であるので製造コストも安価となる。また、板金の先端部を両側に開いたＵターン形状部とされる取付部４１（４１Ａ、４１Ｂ）にピボットベース３を装着するので、折り曲げた平面部で荷重を受けることができ、板金製であっても、大きな荷重負荷が可能となって好適である。
【００３９】
上記構成の表示部手動回動装置において、表示部は屈曲本体部３２の両側部に装着することができる。例えば、屈曲本体部３２の側部に表示部取付部３４を突設して、該表示部取付部３４に形成する取付孔３９、３９を用いて液晶パネルなどの表示部を螺子固定することができる。この構成であれば、幅方向の二箇所で表示部を支持するので、サイズの大きな表示部であっても安定して保持し、左右に回動自在となる。
【００４０】
本体軸部４２の上下二箇所に装着するブッシュ６（６Ａ、６Ｂ）は、板金製の本体軸部４２を挿通自在に支持する挿通孔と摺動性を備える円形外周部を備える樹脂製のブッシュを用いることができる。例えば、本体軸部４２の上部に上ブッシュ６Ａを装着して中央筒部２２の上部に設ける嵌合孔２３に回動自在に嵌め込み、本体軸部４２の下部に下ブッシュ６Ｂを装着してスタンド２の裏面側に装着するカバー８に設ける嵌合孔８Ａに回転自在に嵌め込む構成とし、回動支持部材４をスタンド２に対して回動自在に装着することができる。
【００４１】
次に、ピボットベース３の回動角度、つまり、表示部の回動角度を規定する構成について図３を用いて説明する。
【００４２】
ＴＶやパソコン用モニタなどの表示部の回動角度を規定するには、ピボットベース３の回動角度を規定すればよい。そこで本実施の形態においては、ピボットベース３と一体に回動する回動支持部材４の回動角度を規定する第一実施形態、ピボットベース３自体の回動角度を規定する第二実施形態、回動支持部材４と一体に回動する上ブッシュ６Ａの回動角度を規定する第三実施形態のいずれかを用いる構成とした。
【００４３】
図３（ａ）には上記の第一実施形態を示している。この実施形態では、スタンド２の中央筒部２２の内部に停止部材６１、６２を設けて、ピボットベース３が所定角度回動したときに当接して停止する構成としている。図中の実線に示す位置は、ピボットベース３が中立位置から反時計方向に回動した位置であり、このときに、回動支持部材４の本体軸部４２が停止部材６１に当接して回動が停止される。
【００４４】
この停止部材６１は、回動する板状の本体軸部４２の片側に当接させてもよく、図示するように板状の両側に当接させ位置に二箇所に設けて板状の本体軸部４２の両側に当接させてもよい。また、時計方向に回動したときには、停止部材６２に当接させて停止させる。この停止部材６２も、板状の本体軸部４２の片側に当接する一箇所に、もしくは、板状の本体軸部４２の両側に当接する二箇所に設けることができる。
【００４５】
上記の停止部材６１、６２は中央筒部２２内に一体成形して設けてもよく、また、これらの停止部材６１、６２を備えた別部材を中央筒部２２内に装着する構成としてもよく、特に限定されるものではない。
【００４６】
上記した第一実施形態によれば、スタンド２の中央筒部２２内に設ける停止部材６１、６２に回動支持部材４を当接して回動範囲を規制するので、停止部材６１、６２の当接部を板金製の回動支持部材４が当接する平面ストッパ形状として、確実に停止させることができる。また、停止部材６１、６２が回動可能な範囲を規制するので、所望の回動角度となる位置にこれらの停止部材６１、６２を配設すればよい。さらに、所定角度回動可能な表示部手動回動装置停止部材６１、６２を中央筒部２２内に設けるので、装備品が露出せず、すっきりとした外観の表示部手動回動装置となる。
【００４７】
図３（ｂ）に示す第二実施形態は、ピボットベース３の両側裾部３１の外周部に爪部３５（３５Ａ、３５Ｂ）を設け、スタンド２の基台部２１に停止ピン部材２５（２５Ａ、２５Ｂ）を設けて、ピボットベース３の回動角度を規定する構成としたものである。
【００４８】
上記した第二実施形態によれば、図中の実線に示すようにピボットベース３が中立位置から反時計方向に回動したときに、爪部３５Ａが停止ピン部材２５Ａに当接して回動が停止される。また、逆の時計方向に回動したときには、爪部３５Ｂが停止ピン部材２５Ｂに当接して回動が停止される。
【００４９】
そのために、第二実施形態であれば、ピボットベース３の両側裾部３１の外周部に設ける爪部３５（３５Ａ、３５Ｂ）が基台部２１の停止ピン部材２５（２５Ａ、２５Ｂ）に当接して回動が停止されるので、半径が大きな部位にストッパを設ける構成となって、大きな制動力を発揮することができ、確実に停止可能な表示部手動回動装置となる。
【００５０】
また、図３（ｃ）に示す第三実施形態のように、回動支持部材４と一体に回動する上ブッシュ６Ａの回動角度を規定することでも、ピボットベース３の回動角度を規定することができる。
【００５１】
例えば、中央筒部２２の上面に段２６を形成し、上ブッシュ６Ａに前記段２６に嵌まり込んで所定角度回動可能となる扇状の鍔部３６を設けることで、この鍔部３６が段２６内で回動する範囲を回動可能な範囲となる。
【００５２】
つまり、ピボットベース３が中立位置にあるときに、鍔部３６が段２６の略中央位置にあるようにし、ピボットベース３が一方方向に回動すると図中の実線に示すように、鍔部３６が段２６の一方の壁に当接して停止し、ピボットベース３が他方方向に回動すると図中の破線に示すように、鍔部３６の他方の壁に当接して停止させることができる。
【００５３】
この場合でも、段２６と鍔部３６を一箇所、もしくは、複数個所（例えば２箇所）に設けることができる。
【００５４】
上記構成の第三実施形態であれば、ピボットベース３と共に回動する上ブッシュ６Ａの回動を規制することで、回動支持部材４の回動範囲を規制することができる。また、中央筒部２２の上面と上ブッシュ６Ａの鍔部３６で停止部材を構成するので、装備品がピボットベース３の外部に露出せず、すっきりとした外観の表示部手動回動装置となる。
【００５５】
上記した第一、第二、第三実施形態のように、ピボットベース３の回動範囲を規制することで、ＴＶやパソコン用モニタなどの表示部の回動範囲が所定角度となるように規制することができる。また、そのための部材、ピボットベース３、および、回動支持部材４を板金製とすることで、部品コストが安価となり製造コストも安価となって、設備コストが節約できる。さらに、耐摩耗性を有し所定の摩擦抵抗を発揮する摺動プレートを用いているので、繰り返し回動しても適当な回動負荷を維持して、表示部を左右に所定角度、手動で回動可能な表示部手動回動装置を構成することができる。
【００５６】
表示部を上下方向に回動させる、つまりチルトさせるタイプの場合には、図４に示す表示部手動回動装置１Ａを用いることができる。
【００５７】
表示部手動回動装置１Ａは、先に説明した表示部手動回動装置１と同様な構成である。ただ、ピボットベース３を、屈曲本体部３２の側部にそれぞれチルト調整部材３７を装着可能な構成のピボットベース３Ａとし、表示部取付部３４に替えて、屈曲本体部３２とチルト調整部材３７との間にチルトアーム３８を介装した構成が異なる。このチルト調整部材３７は、チルトアーム３８のチルト方向の回動を許可すると共に屈曲本体部３２の側部との間で挟持する構成であればよく、従来から公知のチルト部材を用いることができる。
【００５８】
そのために、上記構成の表示部手動回動装置１Ａは、チルトアーム３８に表示部を装着する取付孔３９（３９Ａ、３９Ｂ）を設け、装着された表示部（不図示）をピボットベース３Ａに対して上下方向に回動させて任意の角度にチルトすることが可能となる。取付孔３９は、取付用のビス等を装着可能な孔部であればよいが、図示するように、丸穴状の取付孔３９Ａと、長穴状の取付孔３９Ｂとを用いると、装着部の製造誤差などによる寸法のバラツキに容易に対応可能となって、好適である。
【００５９】
チルトアーム３８を備えた表示部手動回動装置１Ａであっても、表示部を水平方向に回動する際には、前述した表示部手動回動装置１と同様に、表示部とピボットベース３Ａとが一体に回動する。また、水平方向に繰り返し回動しても適当な回転負荷を維持して、表示部を左右に所定角度回動可能な表示部手動回動装置となる。
【００６０】
本発明に係る表示部手動回動装置１、１ＡはＴＶやパソコン用モニタなどの表示部を回動自在に設置する装置に適用できる。そのために、図５を用いて、表示部手動回動装置１、１Ａを装着したＴＶの一例について説明する。
【００６１】
図示する実施形態は、ＴＶ１０の裏面側に表示部手動回動装置１、１Ａを装着し、固定ベース１１の嵌合部１１ａにスタンド２を嵌め込んで固定した例である。１２は、取付孔３９、３９部分を露出した状態に、ピボットベース３、３Ａを被覆するカバー部材であって、ピボットベース３、３Ａの上面部に固定され、ピボットベース３、３Ａと共に回動する構成とされている。
【００６２】
そのために、取付孔３９、３９に固定されるＴＶ１０の上部両端を手で軽く押さえながら回したい方向に回すと、固定ベース１１とスタンド２とが停止した状態で、スタンド２から上側のピボットベース３、３Ａとカバー部材１２とがＴＶ１０と共に回動する。このように、スタンド２を固定してピボットベース３、３Ａおよび該ピボットベース３、３Ａに取り付けるＴＶ１０やパソコン用モニタなどの表示部の回動を許可する固定ベース１１を用いることで、固定ベース１１の上に設置されたＴＶ１０やパソコン用モニタなどの表示部が回動自在となり、所望の位置に表示部を配設することができる。
【００６３】
上記したように、本発明に係る表示部手動回動装置によれば、固定部となるスタンド２と回動部となるピボットベース３、３Ａとの間に摩擦力維持部材７を設け、この摩擦力維持部材に向けてピボットベースを押圧する構成としたので、スタンドとピボットベース間の摩擦力を所定の大きさに維持することができ、手動で回動する際の回転負荷を適当な大きさに維持することができる。そのために、繰り返し回動しても適当な回転負荷を維持して、表示部を左右に回動可能な表示部手動回動装置１、１Ａを得ることができる。
【００６４】
さらに、ピボットベース３、３Ａ、および、回動支持部材４を板金製としたので、部品コストが安価となり、取付部の形成や挿通孔を形成する板金加工も容易であるので製造コストも安価となる。また、板金製の回動支持部材の先端部を両側に開いたＵターン形状部とされる取付部４１（４１Ａ、４１Ｂ）にピボットベース３、３Ａを装着するので、折り曲げた平面部で荷重を受けることができ、板金製の回動支持部材であっても、大きな荷重負荷が可能な表示部手動回動装置となる。
【産業上の利用可能性】
【００６５】
そのために、本発明に係る表示部手動回動装置は、ＴＶやパソコン用モニタなどの表示部を水平方向に手動で回動する表示部手動回動装置に好適に適用することができる。さらに、表示画面角度の最適化が望まれる液晶パネルを備えた液晶ＴＶ表示部の手動回動装置にとって好適となる。
【符号の説明】
【００６６】
１、１Ａ    表示部手動回動装置
２    スタンド
３、３Ａ    ピボットベース
４    回動支持部材
５    弾性力付与部材
６    ブッシュ
６Ａ  上ブッシュ
６Ｂ  下ブッシュ
７    摩擦力維持部材（摺動プレート）
２１    基台部
２２    中央筒部
３１    両側裾部
３２    屈曲本体部
４１    取付部
４２    本体軸部
【図１】
2010226268.tif 000003
【図２】
2010226268.tif 000004
【図３】
2010226268.tif 000005
【図４】
2010226268.tif 000006
【図５】
2010226268.tif 000007